(57)【要約】【課題】  測定したデータを、自動的に平面図イメージと共にデータベース化できる測定データ管理装置、測定データ管理方法、及び測定データ管理プログラムを提供する。【解決手段】  入力・表示部１０ａ上でプロットされた平面図の外形の領域１０ｃ内で、指定された測定位置でセンサ１２により測定が行われ、任意の測定値と、この測定値に対応する測定位置の座標情報とを関連づけて記憶する。【選択図】      図１
2005300314.tif 000002
【特許請求の範囲】
【請求項１】
入力手段を備えた表示手段上でプロットされた平面図の外形を表示し、座標情報として記憶する第１の記憶手段と、
前記表示手段上に表示された平面図の外形の領域内で、指定された測定位置を表示し、座標情報として記憶する第２の記憶手段と、
測定された測定値を前記表示手段に表示し、任意の測定値と、この測定値に対応する前記第２の記憶手段に記憶されている測定位置の座標情報とを関連づけて記憶する第３の記憶手段と、
を有することを特徴とする測定データ管理装置。
【請求項２】
入力手段を備えた表示手段に平面図データを取り込み、表示し、前記平面図データを座標情報として記憶する第１の記憶手段と、
前記表示手段上に表示された平面図の外形の領域内で、指定された測定位置を表示し、座標情報として記憶する第２の記憶手段と、
測定された測定値を前記表示手段に表示し、任意の測定値と、この測定値に対応する前記第２の記憶手段に記憶されている測定位置の座標情報とを関連づけて記憶する第３の記憶手段と、
を有することを特徴とする測定データ管理装置。
【請求項３】
入力手段を備えた表示手段上でプロットされた平面図の外形を表示し、座標情報として記憶する第１の記憶ステップと、
前記表示手段上に表示された平面図の外形の領域内で、指定された測定位置を表示し、座標情報として記憶する第２の記憶ステップと、
測定された測定値を前記表示手段に表示し、任意の測定値と、この測定値に対応する前記第２の記憶ステップで記憶された測定位置の座標情報とを関連づけて記憶する第３の記憶ステップと、
を含むことを特徴とする測定データ管理方法。
【請求項４】
測定された測定値に対応した測定位置を平面図上に表示させる測定データ管理装置で用いられるプログラムであって、
入力手段を備えた表示手段上でプロットされた平面図の外形を表示し、座標情報として記憶する第１の記憶手順と、
前記表示手段上に表示された平面図の外形の領域内で、指定された測定位置を表示し、座標情報として記憶する第２の記憶手順と、
測定された測定値を前記表示手段に表示し、任意の測定値と、この測定値に対応する前記第２の記憶ステップで記憶された測定位置の座標情報とを関連づけて記憶する第３の記憶手順と、
をコンピュータに実行させるためのプログラム。
【発明の詳細な説明】
【技術分野】
【０００１】
本発明は、ビル・デパート・ホールなどの環境計測等で用いられる測定データの管理に係り、特に、測定データと測定場所とを容易に関連づけて管理を行うことができる測定データ管理装置、測定データ管理方法、及び測定データ管理プログラムに関する。
【背景技術】
【０００２】
温度、湿度、ＣＯ２などを計測する計測器は、測った数値をその場で表示、または印字している。一度に多くの場所を測る場合には、記録したデータを、別途表形式で入力するなどしている。また、一つの部屋で複数の場所を測定した場合には、測定場所がどこかを平面図などで別途管理しなければならない（非特許文献１参照）。
【非特許文献１】インターネット    <URL:http://www.kagaku.com/kem/pmv.html>
【発明の開示】
【発明が解決しようとする課題】
【０００３】
しかし、上述した従来の構成では、以下のような課題がある。
【０００４】
計測器で測った数値を記録し、そのデータの編集に多大な手間と労力が必要となる上、測定場所を平面図などにプロットして保存しなければならず、管理が困難である。
【０００５】
本発明は以上のような点に鑑みてなされたものであり、その目的は、測定したデータを、別途手動編集を介さないで、自動的に平面図イメージと共にデータベース化することにより手間の軽減と管理性の向上を図ることができる測定データ管理装置、測定データ管理方法、及び測定データ管理プログラムを提供することである。
【課題を解決するための手段】
【０００６】
本発明は、上記課題を解決するため、入力手段を備えた表示手段上でプロットされた平面図の外形を表示し、座標情報として記憶する第１の記憶手段と、前記表示手段上に表示された平面図の外形の領域内で、指定された測定位置を表示し、座標情報として記憶する第２の記憶手段と、測定された測定値を前記表示手段に表示し、任意の測定値と、この測定値に対応する前記第２の記憶手段に記憶されている測定位置の座標情報とを関連づけて記憶する第３の記憶手段とを有することを特徴とする。
【０００７】
したがって、本発明は、入力手段を備えた表示手段上でプロットされた平面図の外形が表示され、座標情報として記憶される。そして、表示手段上に表示された平面図の外形の領域内で、指定された測定位置が表示され、座標情報として記憶される。そして、測定された測定値が表示手段に表示され、任意の測定値と、この測定値に対応する測定位置の座標情報とが関連づけられて記憶される。このため、測定データを、別途手動編集を介さないで、平面イメージとともにデータベース化することにより手間の軽減と管理性の向上を図ることが可能となる。
【発明の効果】
【０００８】
測定データを、別途手動編集を介さないで、平面イメージとともにデータベース化することにより手間の軽減と管理性の向上を図ることが可能となる。
【発明を実施するための最良の形態】
【０００９】
以下図面を参照して、本発明の実施形態について説明する。
【００１０】
なお、以下の図面の記載において、同じ機能を有する部材には同一の符号を付した。また、図面は模式的なものであり、厚みと平面寸法との関係、比率などは現実のものと異なることに留意すべきである。従って、具体的な厚みや寸法は以下の説明を斜酌して判断すべきものである。さらに、図面相互間においても互いの寸法の関係や比率が異なる部分が含まれていることはもちろんである。
【００１１】
図１は、本発明の実施形態に係る測定データ管理装置を示した模式図である。
【００１２】
測定データ管理装置１０は、入力手段と表示手段とを兼ね備えた、例えばタッチパネル等である入力・表示部１０ａと、各種センサ、すなわち、温度・湿度・気流・ＣＯ２センサ１２ａ、幅射温度センサ１２ｂ、照度センサ１２ｃ等を備えたセンサ部１２とを備えている。入力・表示部１０ａには、測定値の情報を入力・表示部１０ａの任意の位置に表示させることができる。例えば、測定値情報表示領域１０ｂである。また、測定を行う建物等の平面図１０ｃを表示させ、この平面図１０ｃ内の任意の位置に測定を行いたい場所として１つまたは複数の測定点１０ｄを指定することができる。なお、入力・表示部１０ａは、座標を表示することができる。また、入力は、例えばタッチペン１１等を用いる。
【００１３】
また、測定データ管理装置１０は、図２に示すような構成となっている。入力・表示部１０ａは、平面図や測定点等の入力を行う。センサ部１２は、各種センサで測定した測定値を制御部１４に送る。制御部１４は、入力・表示部１０ａやセンサ部１２等から入力されたデータの処理を行い、必要に応じて記憶部１６に記憶する。記憶部１６は、平面図データを記憶する平面図データ記憶領域１６ａ、測定点データ記憶領域１６ｂ、測定項目データ記憶領域１６ｃ、及び測定データ記憶領域１６ｄを備えている。
【００１４】
次に、本発明の実施形態に係る測定データ管理方法及び測定データ管理プログラムを適用した測定データ管理装置の動作について図３のフローチャートを用いて説明する。
【００１５】
ステップＳ１で、図４に示すように、入力・表示部１０ａにより、当該入力・表示部１０ａのメッシュ上の座標画面に入力（プロット）された６カ所の点を元に平面図の外形を表示する（各種データを計測する部屋の形状を描く）。制御部１４は、ステップＳ２で、図５に示すように、入力・表示された６カ所のプロットデータを座標データとして認識し、記憶部１６の平面図データ記憶領域１６ａに記憶する（データテーブルとして保存する。必要に応じ、データテーブルから平面図表示や修正が行える）。
【００１６】
ステップＳ３で、図７に示すように、入力・表示部１０ａにより、平面図の外形の領域内の任意の位置に入力（プロット）された測定点（測定を行いたい位置）を表示する。図７では、測定点ａ〜ｇの７カ所である。制御部１４は、ステップＳ４で、図６に示すように、入力・表示された７カ所の測定点データを座標データとして認識し、記憶部１６の測定点データ記憶領域１６ｂに記憶する。
【００１７】
入力・表示部１０ａにより各測定点ａ〜ｇが選択されると、制御部１４は、ステップＳ５で、測定したい項目情報を記憶部１６の測定項目データ記憶領域１６ｃから読み出し、図７に示すように、例えば、測定点の横にウインドウを出して選択項目２０として表示する。入力・表示部１０ａにより、選択項目２０から任意の測定項目（例えば、温度）が選択されると、この選択された測定項目情報と、選択されている測定点（例えば、ａ）とを関連づけて、記憶部１６の測定点データ記憶領域１６ｂに記憶する。
【００１８】
制御部１４は、ステップＳ６で、以上のような測定点と測定項目情報との関連づけが終了した後に、測定を始める（実際に設定された測定点で測定を行う）。センサ部１２からの測定値が入力・表示部１０ａの測定値情報表示領域１０ｂに、例えば、図１のように表示される。この際、制御部１４は、ステップＳ７で、入力・表示部１０ａから測定値を保存する指示が入力されたか否かを判別する。ステップＳ７で、入力・表示部１０ａから測定値を保存する指示が入力された場合は、ステップＳ８で、測定された測定値を記憶部１６の測定データ記憶領域１６ｄに、例えば、図８に示すような形式で測定点と測定値を関連づけて記憶する（データテーブルとして保存する。必要に応じ、データテーブルから平面図表示修正が行える。図５と図６は一つのデータベースとしてもよい）。
【００１９】
なお、平面図上で、任意の測定点が選択された場合、制御部１４は、記憶部１６の測定データ記憶領域１６ｄから、選択された測定点の過去の測定データ読み出して、トレンドとして吹出し表示することもできる。また、記憶部１６の測定データ記憶領域１６ｄに記憶されている図８に示したようなデータをもとに、測定点順、時間順などのソーティングやしぼり込み、気温ｘ℃以上などの条件検索を行うこともできる。さらに、基準値を設定して、基準値から外れた点を平面上で色をつけて表示してもよいし、値を色合い２に変換して、平面上で色の濃淡として表示してもよい。
【００２０】
また、平面データはＣＡＤデータを読み込んだり、スキャナなどで取り込んだ画像を貼り付けてもよい。
【００２１】
さらに、以上のような一連の機能をハンディ計測器本体に持たせたり、計測器を別途
パソコンに接続して実現するようなソフトウェアとして実現してもよい。
【００２２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２３】
【図１】本発明の実施形態に係る測定データ管理装置を示した模式図。
【図２】本発明の実施形態に係る測定データ管理装置の構成を示すブロック図。
【図３】本発明の実施形態に係る測定データ管理方法及び測定データ管理プログラムを適用した測定データ管理装置の動作を示したフローチャート。
【図４】本発明の実施形態に係る測定データ管理装置の入力画面の模式図。
【図５】本発明の実施形態に係る測定データ管理装置に入力された平面図を座標情報に変換したデータテーブルを示した模式図。
【図６】本発明の実施形態に係る測定データ管理装置に入力された平面図を座標情報に変換したデータテーブルを示した模式図。
【図７】本発明の実施形態に係る測定データ管理装置に入力された平面図内に測定点をプロットした状態を示した模式図。
【図８】本発明の実施形態に係る測定データ管理装置に入力された測定点を座標情報および測定データを示した模式図。
【符号の説明】
【００２４】
１０…測定データ管理装置、１０ａ…入力・表示部、１０ｂ…測定値情報表示領域、１０ｄ…測定点、１１…タッチペン、１２ａ…センサ、１２ｂ…幅射温度センサ、１２ｃ…照度センサ、１２…センサ部、１４…制御部、１６…記憶部、１６ａ…平面図データ記憶領域、１６ｂ…測定点データ記憶領域、１６ｃ…測定項目データ記憶領域、１６ｄ…測定データ記憶領域
【図１】
2005300314.tif 000003
【図２】
2005300314.tif 000004
【図３】
2005300314.tif 000005
【図４】
2005300314.tif 000006
【図５】
2005300314.tif 000007
【図６】
2005300314.tif 000008
【図７】
2005300314.tif 000009
【図８】
2005300314.tif 000010